(57)【要約】【課題】モジュールを基板に実装する前に実装ミスの発生の有無を検出することができると共に、アプリケーション情報の設定を自動で行うことができるようにする。【解決手段】ＣＰＵ装置（モジュール）２がバックボード（基板）３に実装されるモジュール実装システム１において、バックボード３は、ＣＰＵ装置２を実装すべきスロットＳ０〜Ｓ７を有して、これらスロットに実装されるＣＰＵ装置を特定する固有のバックボードＩＤ８が付与されたＩＣタグ７と、ＣＰＵ装置２は、ＩＣタグ７から非接触状態でバックボードＩＤ８を無線通信により読み取るＩＣリーダ１０を備え、ＣＰＵ装置２をバックボード３に実装する前に、ＣＰＵ装置２のＩＣリーダ１０によりバックボード３のＩＣタグ７から非接触状態でバックボードＩＤ１０を無線通信により読み取り、この読取結果に基づいて、ＣＰＵ装置２が実装ミスとなるか否かを判定する実装位置判定部１１とを備えている。【選択図】図１
2010199444.tif 000002
【特許請求の範囲】
【請求項１】
所定の動作を行う機能を有するモジュールが基板に実装されるモジュール実装システムであって、
前記基板は、前記モジュールを実装すべきスロットを有して、該スロットに実装される前記モジュールを特定する固有のＩＤ情報が付与された無線通信手段を備え、
前記モジュールは、前記無線通信手段から非接触状態で前記ＩＤ情報を無線通信により読み取るＩＤ読取手段と、
前記モジュールが前記基板に実装される前に、前記モジュールの前記ＩＤ読取手段よって前記基板の前記無線通信手段から非接触状態で前記ＩＤ情報を無線通信で読み取り、この読取結果に基づいて、前記モジュールが実装ミスとなるか否かを判定する実装位置判定部と、
を備えてなることを特徴とするモジュール実装システム。
【請求項２】
所定の動作を行う機能を有する複数のモジュールが基板に実装されるモジュール実装システムであって、
前記基板は、前記各モジュールを対応付けて実装すべき複数のスロットを有し、かつ、スロット毎に、対応付けて実装すべき前記モジュールを特定する固有のＩＤ情報が付与された無線通信手段を備え、
前記各モジュールは、前記無線通信手段から非接触状態で前記ＩＤ情報を無線通信により読み取るＩＤ読取手段と、
前記各モジュールが前記基板に実装される前に、前記各モジュールの前記ＩＤ読取手段により、前記基板の直面する前記無線通信手段から非接触状態で前記ＩＤ情報を無線通信で読み取り、この読取結果に基づいて、前記各モジュールが実装ミスとなるか否かを判定する実装位置判定部と、
を備えてなることを特徴とするモジュール実装システム。
【請求項３】
前記モジュールは、予め前記基板のスロット毎に対応した所定の動作を行うアプリケーションが保存されたアプリケーション部を備えていることを特徴とする請求項１又は２記載のモジュール実装システム。
【請求項４】
前記読取結果が、前記モジュールを特定するＩＤ情報であったときは、前記実装位置判定部は、前記モジュールが実装ミスにならないと判定することを特徴とする請求項１又は２記載のモジュール実装システム。
【請求項５】
前記読取結果が、前記モジュールを特定するＩＤ情報でなかったときは、前記実装位置判定部は、前記モジュールが実装ミスになると判定することを特徴とする請求項１又は２記載のモジュール実装システム。
【請求項６】
前記モジュールは、アプリケーション設定部をさらに備え、前記モジュールが実装ミスにならないと判定されたときは、前記モジュールが前記基板の前記特定されたスロットに実装された後、前記アプリケーション設定部は、前記アプリケーション部に保存された前記アプリケーションを動作エリアに展開することを特徴とする請求項３記載のモジュール実装システム。
【請求項７】
前記無線通信手段として、ＩＣタグあるいはＩＣカードを用いることを特徴とする請求項１又は２記載のモジュール実装システム。
【請求項８】
所定の動作を行う機能を有するモジュールを基板に実装するモジュール実装方法であって、
前記モジュールを前記基板のスロットの手前に配置して、前記モジュールに設けられているＩＤ読取手段によって、前記基板の無線通信手段から非接触状態で前記スロット固有のＩＤ情報を読み取る第１のステップと、
前記モジュールに設けられている前記実装位置判定部によって、前記モジュールの実装情報を照合して前記読み取られたＩＤ情報が前記モジュールを特定するＩＤ情報か否かを判定する第２のステップと、
前記ＩＤ情報が前記モジュールを特定するＩＤ情報と判定されたときは、前記モジュールが前記スロットに実装されても実装ミスにならないと判定する一方、前記ＩＤ情報が前記モジュールを特定するＩＤ情報と判定されなかったときは、前記モジュールが前記スロットに実装されると実装ミスになると判定する第３のステップと、
を含むことを特徴とするモジュール実装方法。
【請求項９】
前記第３のステップにおいて、前記ＩＤ情報が前記モジュールを特定するＩＤ情報と判定されたときは、該ＩＤ情報に合致するアプリケーション情報が前記モジュール内に保存されているか否かを判定する第４のステップと、
この判定の結果、前記アプリケーション情報が保存されているときは、前記モジュールを前記前記スロットに実装する第５のステップと、
をさらに含むことを特徴とするモジュール実装方法。
【請求項１０】
前記モジュールは、アプリケーション設定部を備え、前記第５のステップにて前記モジュールを前記スロットに実装した後、前記アプリケーション設定部に、前記モジュール内に保存された前記アプリケーションを動作エリアに展開させることを特徴とする請求項９記載のモジュール実装方法。
【請求項１１】
前記第２のステップにおいて前記モジュールを特定するＩＤ情報と判定されなかったときは、警告を発生させることを特徴とする請求項８記載のモジュール実装方法。
【請求項１２】
前記第４のステップにおいて前記アプリケーション情報が保存されていないときは、警告を発生させることを特徴とする請求項９記載のモジュール実装方法。
【請求項１３】
前記無線通信手段として、ＩＣタグあるいはＩＣカードを用いることを特徴とする請求項８記載のモジュール実装システム。
【発明の詳細な説明】
【技術分野】
【０００１】
この発明は、モジュール実装システム及びモジュール実装方法に係り、詳しくは、計測端末装置等の組立に用いられるＣＰＵ装置（Central Processing Unit中央処理装置）のようなモジュールを基板に実装する際に、実装ミスを防止するモジュール実装システム及びモジュール実装方法に関する。
【背景技術】
【０００２】
例えば、監視制御システムに使用される計測端末装置は、制御機能、メモリ機能等を有するモジュールの一種であるＣＰＵ装置が、バックボード（基板）に実装されて組み立てられるようになっている。同計測制御装置１０１の概略構成は、図９の正面図に示すように、縦方向に複数段設けられたケージ１・１０２Ａ〜ケージ４・１０２Ｄの各々が、横方向に複数のスロット１・１０３Ａ〜スロット１６・１０３Ｘにより区切られて構成された筐体状のバックボード１０４に、複数のＣＰＵ装置１０５が対応する各ケージ１〜４及び各スロット１〜１６に装着されて実装されるように構成されている。監視制御システムあるいは計測制御装置の規模が大きくなると、バックボード１０４に実装されるＣＰＵ装置１０５の数は必然的に増加するようになる。
【０００３】
このような計測制御装置において、ＣＰＵ装置がバックボードの予め定められた対応したケージ及びスロットの位置である実装位置に見合った位置に正確に実装されたか否かは、全てのＣＰＵ装置の実装が終了してから、計測制御装置を動作させてはじめて判明する。これは全ＣＰＵ装置とバックボードとを接触させて電気的に接続しないと、計測制御装置を動作させられないからである。また、ＣＰＵ装置が正確に実装位置に実装されていないために実装ミスが発生すると、同一バックボードに実装されている多くのＣＰＵ装置にも悪影響を与えることになる。
【０００４】
また、実装位置に見合ったアプリケーション情報を設定するには、実装位置に見合ったＣＰＵ装置のＳＧ（System Generation）情報（ＩＰアドレスや局番号等）の設定が必要となるが、実装位置から自動で設定される方法がないので、作業員が実装位置の目視確認によりすべて手動で行っている。このためアプリケーション情報の設定効率が悪くなるだけでなく、ヒューマンエラーも発生し易くなっている。前述したように、監視制御システムあるいは計測制御装置の規模が大きくなると、実装位置の種類が多く（スロット数が多く）なってくるので、ＣＰＵ装置のバックボードへの実装ミスやアプリケーション情報の設定ミスが発生し易やすくなり、これらのミスはＣＰＵ装置の実装が終了した時点でしかわからない。特に、計測制御装置等の実運用現場での装置交換はミスが許されない状況が多いので、ヒューマンエラーを自動排除する仕組みが望まれている。
【０００５】
複写機においてスキャン・プリント等の機能を実現する際に、複数のスロットを持つメイン基板にサブ基板を実装する場合の実装ミスを防止するために、サブ基板に認識用ＩＤ（Identification）を設けておく考えがある（特許文献１）。また、情報処理装置等においてパッケージを基板に実装する際の実装ミスを防止するために、パッケージに認識用ＩＤを設けておく考えもある（特許文献２、特許文献３）。
【０００６】
しかしながら、特許文献１〜特許文献３のいずれにおいても、実装するサブ基板あるいはパッケージ等のモジュールに設けたＩＤを利用して実装ミスを防止しているが、これらの考えは全て基板にモジュールの実装が終了した後に実装ミスの発生の有無を検出するものである。したがって、前述したように、同一基板に接続されている多くのモジュールに悪影響を与えることが避けられなくなる。
【０００７】
また、ＳＰＤ（Serial Presence Detect）という規格に従って情報をシリアル通信する半導体メモリ（モジュール）をマザーボード（基板）に実装する際に、モジュールのコネクタ端子にシリアルクロック端子や、シリアルデータ端子等の複数の端子を設けることにより生ずるモジュール端子の利用効率の低下を防止するために、モジュールにこのモジュールに関する情報を無線送信するＩＣタグを設けると共に、マザーボードには上記ＩＣタグからの無線信号を受信するリーダを設けるように構成したモジュール実装システムが考えられている（特許文献４）。そして、このシステムではモジュールに関する情報をマザーボードへ無線送信することによりモジュールの動作を制御している。
【先行技術文献】
【特許文献】
【０００８】
【特許文献１】特開２００５―３３２９３８号公報
【特許文献２】特開平０４−２２３５８０号公報
【特許文献３】特開平０８−１５３９９８号公報
【特許文献４】特開２００８―２５１７６８号公報
【発明の概要】
【発明が解決しようとする課題】
【０００９】
ところで、特許文献４に開示されている従来のモジュール実装システムでは、モジュールに関する情報をモジュールからマザーボードに無線送信することで、モジュール端子の利用効率を向上するという目的を達成できるものの、モジュールを基板に実装する際に発生し易い実装ミスを防止することに関しては考慮されていない。
また、特許文献４のモジュール実装システムでは、モジュールとマザーボード間の情報の伝達を非接触で行うという考えが示されているだけで、モジュール実装時の実装位置に見合ったアプリケーション情報を手動で設定する際に発生し易い課題に関しても考慮されていない。
【００１０】
この発明は、上述の事情に鑑みてなされたもので、モジュールを基板に実装する前に実装ミスの発生の有無を検出することができると共に、アプリケーション情報の設定を自動で行うことができるようにしたモジュール実装システム及びモジュール実装方法を提供することを目的としている。
【課題を解決するための手段】
【００１１】
この発明の構成は，所定の動作を行う機能を有するモジュールが基板に実装されるモジュール実装システムに係り、前記基板は、前記モジュールを実装すべきスロットを有して、該スロットに実装される前記モジュールを特定する固有のＩＤ情報が付与された無線通信手段を備え、前記モジュールは、前記無線通信手段から非接触状態で前記ＩＤ情報を無線通信により読み取るＩＤ読取手段と、前記モジュールが前記基板に実装される前に、前記モジュールの前記ＩＤ読取手段により前記基板の前記無線通信手段から非接触状態で前記ＩＤ情報を無線通信で読み取り、この読取結果に基づいて、前記モジュールが実装ミスとなるか否かを判定する実装位置判定部とを備えていることを特徴としている。
【発明の効果】
【００１２】
この発明のモジュール実装システムによれば、実装されるモジュールを特定する固有のＩＤ情報が付与された無線通信手段を基板に備え、モジュールを基板に実装する前に、モジュールのＩＤ読取手段により基板の無線通信手段から非接触状態でＩＤ情報を無線通信により読み取り、この読取結果に基づいて、モジュールが実装ミスとなるか否かを判定するので、モジュールを基板に実装する前に実装ミスの発生の有無を検出することができる。また、モジュールは、予め所定の動作を行うアプリケーション情報が保存されたアプリケーション部を備えるので、アプリケーション設定を自動で行うことができる。
【図面の簡単な説明】
【００１３】
【図１】この発明の第１の実施形態であるモジュール実装システムにおけるモジュール実装前の概略構成を示す構成図である。
【図２】同モジュール実装システムにおけるモジュール実装後の概略構成を示す構成図である。
【図３】同モジュール実装システムにおけるモジュール実装前の具体例を示す斜視図である。
【図４】同モジュール実装システムにおけるモジュール実装後の具体例を示す斜視図である。
【図５】同モジュール実装システムに用いられる基板の具体例を示す斜視図である。
【図６】同モジュール実装システムを用いたモジュール実装方法を示すフローチャートである。
【図７】同モジュール実装方法により基板の特定のスロットにモジュールを実装した例を示す説明図である。
【図８】この発明の第２の実施形態であるモジュール実装システムのモジュール実装前の具体例を示す斜視図である。
【図９】従来のモジュール実装システムの概略構成を示す正面図である。
【発明を実施するための形態】
【００１４】
ＣＰＵ装置２（モジュール）がバックボード３（基板）に実装されるモジュール実装システム１において、バックボード３は、ＣＰＵ装置２を実装すべきスロットＳ０〜Ｓ７を有して、これらスロットに実装されるＣＰＵ装置を特定する固有のバックボードＩＤ８（ＩＤ情報）が付与されたＩＣタグ７（無線通信手段）を備え、ＣＰＵ装置２は、ＩＣタグ７から非接触状態でバックボードＩＤ８を無線通信により読み取るＩＣリーダ１０（ＩＤ読取手段）と、ＣＰＵ装置２がバックボード３に実装される前に、ＣＰＵ装置２のＩＣリーダ１０によりバックボード３のＩＣタグ７から非接触状態でバックボードＩＤ１０を無線通信により読み取り、この読取結果に基づいて、ＣＰＵ装置２が実装ミスとなるか否かを判定する実装位置判定部１１とを備えている。
【実施形態１】
【００１５】
図１は、この発明の第１の実施形態であるモジュール実装システムにおけるモジュール実装前の概略構成を示す構成図、図２は、同モジュール実装システムにおけるモジュール実装後の概略構成を示す構成図、図３は、同モジュール実装システムにおけるモジュール実装前の具体例を示す斜視図、図４は、同モジュール実装システムにおけるモジュール実装後の具体例を示す斜視図、図５は、同モジュール実装システムに用いられる基板の具体例を示す斜視図、また、図６は、同モジュール実装システムを用いたモジュール実装方法を示すフローチャートである。なお、この実施形態では、モジュールとしてＣＰＵ装置を用いて、このＣＰＵ装置がバックボードのスロットに装着される形式のスロット装着型のＣＰＵ装置に適用した例で示している。
【００１６】
この実施形態のモジュール実装システム１は、図１及び図２に示すように、ＩＣリーダ１０、実装位置判定部１１、アプリケーション設定部１２、アラーム制御部１３、実装情報部１４、アプリケーション部１５、電気的接続用の接合部１６を有するＣＰＵ装置（モジュール）２と、このＣＰＵ装置２が実装されるバックボード（基板）３とを備えている。ＣＰＵ装置２がバックボード３に実装されると、所定の動作が可能な例えば計測端末装置等が組み立てられる。
【００１７】
バックボード３は、図３〜図５に示すように、ケージ４が横方向に複数のスロットＳ（Ｓ０〜Ｓ７）により区切られた筐体状に形成されて、各スロットにはＣＰＵ装置２が実装可能に構成されている。各スロットＳにはＣＰＵ装置２の接合部１６と電気的に接続される接合部５が設けられると共に、各スロットＳには相互を電気的に接続するバス６が設けられて、各スロットＳに装着されたＣＰＵ装置３間でのデータの受け渡しが可能に構成されている。
【００１８】
また、バックボード３のＣＰＵ装置２との対向面には、ＣＰＵ装置３とバックボード３が非接触状態で情報の受け渡しが可能なＩＣタグ（無線通信手段）７がＩＣチップの形で内蔵されている。このＩＣタグ７には予めスロット毎にスロット固有のバックボードＩＤ８が割り当てられて（付与されて）記憶されている。例えば、スロットＳ０にはこのスロットＳ０固有のバックボードＩＤが、スロットＳ１にはこのスロットＳ１固有のバックボードＩＤが割り当てられているように、全てのスロットに固有のバックボードＩＤが割り当てられて記憶されている。したがって、この第１の実施形態では８個のスロット（Ｓ０〜Ｓ７）に対応した８種類のバックボードＩＤが割り当てられて、ＩＣタグ７に記憶されていることになる。これらのバックボードＩＤ８はＩＤ情報として、バックボード３の各スロットに実装されるＣＰＵ装置２を特定する役割を担っている。
【００１９】
ＣＰＵ装置２のＩＣリーダ１０は、図１に示すように、ＣＰＵ装置２がバックボード３の各スロットＳに実装される手前で、ＩＣタグ７から非接触状態でそのＣＰＵ装置２と対応するスロット固有のバックボードＩＤを読み取って、この読取結果を実装位置判定部１１に伝える。実装位置判定部１１は実装情報部１４に保存されている実装情報を照合して、その読み取られたバックボードＩＤがＣＰＵ装置２を特定するバックボードＩＤかどうか、すなわち、そのＣＰＵ装置２が正確な実装位置に実装されるか否かを判定する。例えば、そのＣＰＵ装置２の実装位置がスロットＳ１であるとすると、実装情報部１４にはそのスロットＳ１固有のバックボードＩＤがそのＣＰＵ装置２を特定する情報として保存されているので、この組み合わせの場合には実装位置判定部１１は、そのＣＰＵ装置２がスロットＳ１に実装されても実装ミスにならないと判定する。
【００２０】
ここで、ＩＣリーダ１０により読み取られたバックボードＩＤがＣＰＵ装置２を特定しないバックボードＩＤであったときは、実装位置判定部１１は実装情報部１４を照合して、ミスマッチであるとみなして、そのＣＰＵ装置２がスロットＳ１に実装されると実装ミスになると判定して、アラーム制御部１３により警告を発生させる。警告はブザー等を鳴らす聴覚手段や、ライトを点滅させる視覚手段を利用することができる。
【００２１】
また、実装位置判定部１１は、上述のようにＣＰＵ装置２が実装ミスにならないと判定したときには、アプリケーション設定部１２及びアプリケーション部１５を制御して、アプリケーション情報の自動設定を行う。アプリケーション部１５には、予めバックボード３のスロット毎のアプリケーション情報が保存されている。このアプリケーション情報とは、実際に実行形式のファイルやＳＧ情報を示している。すなわち、実装位置判定部１１は、ＩＣリーダ１０により読み取られたバックボードＩＤに合致するアプリケーション情報がアプリケーション部１５に保存されているか否かを検索する。そして、そのバックボードＩＤに合致するアプリケーション情報が検索されたときは、実装位置判定部１１はアプリケーション設定部１２を制御して動作エリアに展開する。
【００２２】
ここで、バックボードＩＤに合致するアプリケーション情報が検索されなかったときは、アプリケーション情報の自動設定は行われないので、実装位置判定部１１はアラーム制御部１３により、ブザー等を鳴らす聴覚手段や、ライトを点滅させる視覚手段を利用して警告を発生させる。
【００２３】
上述のように、ＣＰＵ装置２のバックボード３への実装前に、実装位置の判定の結果が実装ミスにならないと判定され、またアプリケーション情報の自動設定が行われると、いずれの場合にもアラーム制御部１３による警告は発生されないので、ＣＰＵ装置２はバックボード３のスロットへの実装が行われる。この時点で、バックボード３が電源オン等の活線状態になっていれば、ＣＰＵ装置３は予めアプリケーション部１５に保存されたアプリケーション情報に基づいた正常動作が可能になる。
【００２４】
次に、図６のフローチャートを照合して、この第１の実施形態のモジュール実装システムを用いたモジュール実装方法を説明する。
まず、実装すべきＣＰＵ装置２をバックボード３のスロットＳの手前に配置して、ＣＰＵ装置２のＩＣリーダ１０によりバックボード３のＩＣタグ７から非接触状態でそのＣＰＵ装置２と対応するスロット固有のバックボードＩＤを読み取る（ステップＳ１）。
【００２５】
次に、ＩＣリーダ１０はその読取結果を実装位置判定部１１に伝え、実装位置判定部１１は実装情報部１４に保存されている実装情報を照合して、その読み取られたバックボードＩＤがＣＰＵ装置２を特定するバックボードＩＤか否かを判定する（ステップＳ２）。実装情報部１４にそのスロットＳ１固有のバックボードＩＤがそのＣＰＵ装置２を特定する情報として保存されているときは、実装位置判定部１１は、そのＣＰＵ装置２がスロットＳ１に実装されても実装ミスにならないと判定し、フローはステップＳ３へ進む。一方、読み取られたバックボードＩＤがＣＰＵ装置２を特定しないバックボードＩＤであったときは、実装位置判定部１１はそのＣＰＵ装置２がスロットＳ１に実装されると実装ミスになると判定して、フローはステップＳ６に進む。
【００２６】
次に、実装位置判定部１１はアラーム制御部１３によりブザー等を鳴らす聴覚手段や、ライトを点滅させる視覚手段を利用して警告を発生させる（ステップＳ６）。
【００２７】
次に、実装ミスにならないと判定されたときは、実装位置判定部１１はアプリケーション設定部１２及びアプリケーション部１５を制御して、アプリケーション情報の自動設定を行うべく、ＩＣリーダ１０により読み取られたバックボードＩＤに合致するアプリケーション情報をアプリケーション部１５から検索する（ステップＳ３）。
【００２８】
次に、実装位置判定部１１は、読み取られたバックボードＩＤに合致するアプリケーション情報をアプリケーション部１５から検索すると、フローはステップＳ５に進む。一方、アプリケーション情報がアプリケーション部１５から検索されないと、フローはステップＳ６に進む（ステップＳ４）。
【００２９】
次に、アプリケーション情報が検索されたときは、ＣＰＵ装置２をバックボード３のスロットへ実装し、この時点で、バックボード３が電源オン等の活線状態になっている基で、ＣＰＵ装置３は予めアプリケーション部１５に保存されたアプリケーション情報に基づいた正常動作を行う（ステップＳ５）。
【００３０】
図７は、一例としてバックボード３のスロットＳ０にＣＰＵ装置２が実装される場合の例を示し、ステップＳ３においてスロットＳ０のアプリケーション情報が検索されて、ステップＳ４においてＣＰＵ装置２の動作エリアにスロットＳ０のアプリケーションが展開される例を示している。この例の場合、ＣＰＵ装置２はスロットＳ０専用の設定となる。
【００３１】
このように、第１の実施形態のモジュール実装システム１によれば、実装されるＣＰＵ装置２を特定する固有のバックボードＩＤ８が付与されたＩＣタグ７をバックボード３に備え、ＣＰＵ装置２をバックボード３に実装する前に、ＣＰＵ装置２のＩＤリーダ１０によりバックボード３のＩＣタグ７から非接触状態でバックボードＩＤを無線通信により読み取り、この読取結果に基づいて、ＣＰＵ装置２が実装ミスとなるか否かを判定するので、ＣＰＵ装置２をバックボード３に実装する前に実装ミスの発生の有無を検出することができる。また、ＣＰＵ装置２は、予め所定の動作を行うアプリケーションが保存されたアプリケーション部１５を備えるので、アプリケーション設定を自動で行うことができる。
したがって、モジュールを基板に実装する前に実装ミスの発生の有無を検出することができると共に、アプリケーション情報の設定を自動で行うことができる。これにより、ヒューマンエラーを自動排除でき、また、アプリケーション管理の向上とメンテナンス性の向上を実現することができる。
【実施形態２】
【００３２】
図８は、この発明の第２の実施形態であるモジュール実装システムのモジュール実装前の具体例を示す斜視図である。この実施形態のモジュール実装システムの構成が、上述した第１の実施形態のそれと大きく異なるところは、ＣＰＵ装置をスロット実装型に代えてボックス型のものを用いるようにした点である。
すなわち、この第２の実施形態のモジュール実装システム９で用いるＣＰＵ装置２２は、第１の実施形態と形状が変わるだけで、基本的構成は第１の実施形態のそれと略同じである。ただし、第２の実施形態においては、ＣＰＵ装置２２はスロットＩＤをボックスＩＤとして取得して実装ボックスの判定を行うことで、ボックスへの実装ミス検出と、アプリケーション情報の自動設定を、実動作開始前に行うようになっている。このようにＣＰＵ装置の形状を変化させることで、ＣＰＵ装置を実装する用途にバリエーションを持たせることができるという利点が得られる。なお、この第２の実施形態では説明を簡単にするために１個のＣＰＵ装置２２のみを示したが、実際には、第１の実施形態と同じような数が用いられる。
【００３３】
第１及び第２の実施形態では、バックボードに実装されるＣＰＵ装置を特定するＩＤ情報をＩＣタグに付与する例で説明したが、ＩＣタグに代えてＩＣカードを用いるようにしてもよい。また、バックボードのスロットの数は８個を設ける例で説明したが、目的、用途等に応じて任意に変更することができる。さらに、バックボードに実装するモジュールとしてはＣＰＵ装置に例をあげて説明したが、これに限らずに、各種制御機能、メモリ機能等の所定の動作を行う機能を有するものであれば、同様に適用することができる。
【００３４】
以上、この発明の一実施形態を図面を参照して詳述してきたが、具体的な構成はこの実施形態に限られるものではなく、この発明の要旨を逸脱しない範囲の設計の変更等があってもこの発明に含まれる。
【産業上の利用可能性】
【００３５】
モジュールを基板に実装して所定の機能を発揮する装置を構成する場合、モジュールが受け取った基板のＩＤ情報は、実動作中においても任意の情報としてモジュール内の別のアプリケーション動作等にも適用することができる。例えば、基板のスロット毎に別パラメータを照合するアプリケーション等は動作時にバックボードＩＤを照合して、スロット毎に異なった値として動作することが可能となる。
【符号の説明】
【００３６】
１、９        モジュール実装システム
２、２２        ＣＰＵ装置（モジュール）
３        バックボード（基板）
４        ケージ
５        バックボードの接合部
６        バス
７        ＩＣタグ（無線通信手段）
８        バックボードＩＤ（ＩＤ情報）
１０        ＩＣリーダ（ＩＤ読取手段）
１１        実装位置判定部
１２        アプリケーション設定部
１３        アラーム制御部
１４        実装情報部
１５        アプリケーション部
１６        ＣＰＵ装置の接合部
Ｓ（Ｓ０〜Ｓ７）        バックボードのスロット
【図１】
2010199444.tif 000003
【図２】
2010199444.tif 000004
【図３】
2010199444.tif 000005
【図４】
2010199444.tif 000006
【図５】
2010199444.tif 000007
【図６】
2010199444.tif 000008
【図７】
2010199444.tif 000009
【図８】
2010199444.tif 000010
【図９】
2010199444.tif 000011